(57)【要約】【課題】  被収容物を容易に出し入れでき、特に側部において開口部を前後方向に比較的広く開いた状態にすることが容易にできるソフトバッグを提供すること。【解決手段】  この発明は、左右両側部間において前・後面部１，２の上端部を止め具３により開閉自在とした開口部Ｈを有するソフトバッグであって、左右両側部のいずれか又は両方において、バネ部材をその一端が前面部１側に位置し、他端が後面部２側に位置するように配することにより、開口部Ｈが前後方向に開くように付勢してある。【選択図】  図２
2005137758.tif 000002
【特許請求の範囲】
【請求項１】
左右両側部間において前・後面部１，２の上端部を止め具３により開閉自在とした開口部Ｈを有するソフトバッグであって、左右両側部のいずれか又は両方において、バネ部材４をその一端が前面部１側に位置し、他端が後面部２側に位置するように配することにより、開口部Ｈが前後方向に開くように付勢してあることを特徴とすることを特徴とするソフトバッグ。
【請求項２】
左右両側部のいずれか又は両方において上部５０と下部５１からなるマチ部５を有し、前記上部５０を柔軟にし、前記上部５０と下部５１との接合部分にバネ部材４を収容している請求項１記載のソフトバッグ。
【請求項３】
マチ部５の上部５０と下部５１とがパイピン６を介して接合されており、前記パイピン６内にバネ部材４が収容されていることを特徴とする請求項２記載のソフトバッグ。
【請求項４】
パイピン６は開口部Ｈが全開又はほぼ全開で弧状又は横コ字状となっており、前記パイピン６とほぼ同形状のバネ部材４が収容されていることを特徴とする請求項３記載のソフトバッグ。
【発明の詳細な説明】
【技術分野】
【０００１】
この発明は、大小の被収容物の出し入れが容易にできるソフトバッグに関するものである。
【背景技術】
【０００２】
ソフトバッグは、軟質材により構成されているため、上部に位置する開口部が自然に閉じていく傾向がある。
【０００３】
このため、使用者は、開口部を介して被収容物を出し入れする際に、閉じかけた開口部に被収容物が引っ掛からないように、一方の手で開口部が開いた状態を維持しながら、他方の手のみで被収容物を出し入れしなければならないという問題があった。
【０００４】
さらに、左右両側部のマチ部相互間距離が大きいバッグの場合、一方の手では開口部全域を全開状態にすることができず、大きい被収容物を出し入れすることは困難であった。
【０００５】
また、例えば犬や猫等のペットを収容する用途で使用するバッグの場合、側部において開口部が広く開口した状態にすることにより、被収容物の一部（ペットの頭部等）が出し入れできるようにしたいことがあるが、従来のバッグでは、開口部の端に位置する側部において、開口部が十分に広く開いた状態にすることは困難であった。
【０００６】
なお、軟質材により構成された公知のバッグとして、特許文献１に記載のようなものがある。
【特許文献１】特開２００２−３４５５２６号公報
【発明の開示】
【発明が解決しようとする課題】
【０００７】
そこで、この発明は、被収容物を容易に出し入れでき、特に側部において開口部を前後方向に比較的広く開いた状態にすることが容易にできるソフトバッグを提供することを課題とする。
【課題を解決するための手段】
【０００８】
（請求項１記載の発明）
この発明は、左右両側部間において前・後面部１，２の上端部を止め具３により開閉自在とした開口部Ｈを有するソフトバッグであって、左右両側部のいずれか又は両方において、バネ部材４をその一端が前面部１側に位置し、他端が後面部２側に位置するように配することにより、開口部Ｈが前後方向に開くように付勢してある。
【０００９】
（請求項２記載の発明）
この発明は、上記請求項１記載の発明に関し、左右両側部のいずれか又は両方において上部５０と下部５１からなるマチ部５を有し、前記上部５０を柔軟にし、前記上部５０と下部５１との接合部分にバネ部材４を収容している。
【００１０】
（請求項３記載の発明）
この発明は、上記請求項２記載の発明に関し、マチ部５の上部５０と下部５１とがパイピン６を介して接合されており、前記パイピン６内にバネ部材４が収容されている。
【００１１】
（請求項４記載の発明）
この発明は、上記請求項３に記載の発明に関し、パイピン６は開口部Ｈが全開又はほぼ全開で弧状又は横コ字状となっており、前記パイピン６とほぼ同形状のバネ部材４が収容されている。
【発明の効果】
【００１２】
この発明のソフトバッグは、上述のような構成を有しており、被収容物を容易に出し入れでき、特に側部において開口部Ｈを前後方向に比較的広く開いた状態にすることが容易である。
【発明を実施するための最良の形態】
【００１３】
以下、この発明の好適な実施形態を、図面を参照して説明する。
〔実施形態１〕
図１はこの発明の実施形態のソフトバッグであるペット用バッグにおいて止め具３を閉じた状態を示した斜視図であり、図２は前記ペット用バッグにおいて止め具３を全開にした状態を示す斜視図、図３は止め具３を一部開いた状態を示す斜視図である。
【００１４】
（ペット用バッグＢの構成について）
このペット用バッグＢは、図１〜図３に示すように、前・後面部１，２を構成する生地と底部７を構成する生地とがパイピン８を介して縫製により接合（縫着）されており、左右両側部にマチ部５，５を構成している。
【００１５】
そして、前・後面部１，２及び両マチ部５，５の上端部により開口部Ｈが形成されていると共に前記開口部Ｈを閉止する止め具３を具備させてある。開口部Ｈは、ペット用バッグＢの左右両側部間において前・後面部１，２の上端部を止め具３により開閉自在としている。
【００１６】
前・底・後面部１，７，２は、合成繊維（例えば、ナイロンやポリエステル等）から成る生地により形成されており、図１〜図３に示すように、前記前面部１の外側の中央にはポケットＰを構成させてある。
【００１７】
なお、前記前・後面部１，２には、図１〜図３に示すように、合成繊維を織ってなる下げ紐（把手）を縫着してある。
【００１８】
両マチ部５，５は、合成樹脂から成るネット状の上部５０と、接合された前・後面部１，２の左右側部である下部５１とから構成されている。ここで、両マチ部５，５はそれぞれ図１に示すように、側面視において下端側から上端側に向かって上端近傍付近まで幅が徐々に狭くなった態様としている。
【００１９】
また、マチ部５の上部５０をネット状としてあるのは、柔軟にして開口部Ｈの一部開口時の被収容物の出し入れを容易にすると共に、バッグ内部への通気性や採光性をよくするためである。
【００２０】
両マチ部５，５の上部５０と下部５１は、パイピン６を介して接合されており、図４に示すように、パイピン６内にバネ部材４を収容させ、前記バネ部材４により、ペット用バッグＢの左右両側部において、開口部Ｈを前後方向に開くように付勢してある。
【００２１】
両マチ部５，５の上部５０と下部５１の接合部分のパイピン６は、全体がゴム材で構成されており、図４に示すように、断面Ｃ形状の膨らみ部６０と、前記膨らみ部６０の両端部に相互に略平行に配された延設片６１，６１とから成る長尺状のものとしてある。そして、前記パイピン６は、一端が前面部１側に位置し、他端が後面部２側に位置するように配される。前記パイピン６は、図２に示すように、開口部Ｈが全開又はほぼ全開で弧状となっているが、横コ字状となるようにしてもよい。
【００２２】
なお、この実施形態では、パイピン６は、膨らみ部６０がバッグ外部に、延設片６１，６１がバッグ内部に、それぞれ突出する態様でマチ部５，５の上部５０と下部５１の間に縫着される。
【００２３】
バネ部材４は、図４に示すように、パイピン６の膨らみ部６０内に収容できる直径のコイル形状のものであり、上記の如き弧状又は横コ字状に配置させたパイピン６におけるマチ部５の上端付近までの範囲で収容させてある。バネ部材４は、曲がった状態で、その一端が前面部１側に位置し、他端が後面部２側に位置することとなる。なお、このバネ部材４は弧状又は横コ字状に配置させたパイピン６と対応させて、外力が作用しない状態において弧状又は横コ字状となっていることが好ましい。
【００２４】
止め具３は、図１〜図３に示すように、ファスナー３０とスナップ３１としている。ファスナー３０は、エレメントをスライダーにより開閉できるようにした、一般的に使用されているものであり、左側部を除く前・後面部１，２と右側部のマチ部５の上端部分にエレメントが縫着され、さらに右側部において延長部３２を有している。また、止め具３は、２つのスライダーを有する両開きファスナーとすることができる。
【００２５】
スナップ３１は、一対の係合する凹部と凸部からなるもので、左側部のマチ部５の上端部分に２組設けられている。左側部のマチ部５は、前面部１に接合された部分と、後面部２に接合された部分とに分割されており、スナップ３１を係脱することにより、開閉できるようにしている。
【００２６】
（上記ペット用バッグＢに収容されるペット等について）
このペット用バッグＢには、ペット用バッグＢの底部７よりも小さい犬、猫等のペットや、ペット用の小物等を収容できるようになっている。
【００２７】
（上記ペット用バッグＢからペット等を取り出す場合について）
ペット等をペット用バッグＢ内に収容し、ファスナー３０とスナップ３１からなる止め具３を閉じると、バネ部材４の付勢力に抗してバッグ上部幅は図１に示すように狭くなり、開口部Ｈは閉じられた状態が維持されている。
【００２８】
ここで、ペット用バッグＢからペット等を取り出す場合、止め具３を開状態にする。この状態では、図２に示すように、ペット用バッグＢの開口部Ｈはバネ部材４の付勢力によりほぼ全開となり、開口部Ｈの幅寸法（前後方向の寸法）は比較的大きくなっている。特に、バネ部材４が配された左右両側部においては、前記バネ部材４により開口部Ｈが前後方向に比較的広く開いた状態が維持されるようになっている。
【００２９】
したがって、ペットを持ち上げると、ペット用バッグＢから何の障害も無くペットを取り出すことができる。
【００３０】
逆に、上記止め具３が開状態にあるときには、開口部Ｈの幅寸法はペットの幅寸法よりも大きいことから、開口部Ｈからペットを何の障害もなくペット用バッグＢ内に収容させることができる。
【００３１】
つまり、このペット用バッグＢによれば、ペット（被収容物）を容易に出し入れできる。
【００３２】
さらに、左側部において、止め具３のスナップ３１をはずすことにより、図３に示したように、開口部Ｈを一部開いた状態にし、そこからペットの頭部等が出し入れできるようにすることが可能である。この際、スナップ３１をはずすだけで、バネ部材４の付勢により開口部Ｈの一部が前後方向に比較的広く開くため、開口部Ｈを全開状態にしなくとも、一方の手だけでペットの頭部等、被収容物の一部が出し入れ可能な状態にすることができる。
【００３３】
上記実施形態では、バネ部材４はコイル形状のものとしてあるが、これに限定されることなく、バネ鋼で構成された弧状又は横コ字状の線体であってもよい。要するにバネ部材４の付勢力により開口部Ｈがほぼ全開まで開けばよいのである。
【００３４】
上記実施形態では、止め具３はファスナー３０とスナップ３１としてあるが、これに限定されるものではない。
【００３５】
上記実施形態ではパイピン６を使用しているが、これに限定されることなく、パイピン６を使用することなく両マチ部５，５の上部５０と下部５１とを接合し、前記接合部分に沿ってバネ部材４を設けてあるものとしてもよい。
【００３６】
また、上記実施形態では本件発明のソフトバッグをペット用バッグとしているが、これに限定されることなく、他の適宜の用途で使用するソフトバッグ（例えばボストンバッグ形式）とすることができる。この場合においても、ほぼ全開状態にある開口部Ｈを通過できる被収容物であれば、その大きさにかかわらず容易に出し入れできる。
【００３７】
例えば、本件発明のソフトバッグは、以下のような構成とすることができる。
〔実施形態２〕
図５は、この発明の第２の実施形態のソフトバッグにおいて止め具３を全開にした状態を示す斜視図である。
【００３８】
このソフトバッグは、両マチ部５，５を構成する生地と前・底・後面部１，７，２を構成する生地とがパイピン８を介して接合されたものとしており、前・後面部１，２及び両マチ部５，５の上端部により開口部Ｈが形成されている。
【００３９】
両マチ部５，５、前・後面部１，２の上端部にはファスナーである止め具３が設けられている。この止め具３は、左右両側部において延長部３２を有している。開口部Ｈを一部開いた状態にするには、左右側部のいずれかにおいて、止め具３のファスナー３０のスライダーを少し移動させればよい。
【００４０】
両マチ部５，５は、略台形状で、上部５０と下部５１とがパイピン６を介して接合されている。パイピン６は開口部Ｈが全開又はほぼ全開で、上下方向に弧状又は横コ字状となっており、前記パイピン６とほぼ同形状のバネ部材４が収容されている。
〔実施形態３〕
図６は、この発明の第３の実施形態のソフトバッグにおいて止め具３を全開にした状態を示す斜視図である。
【００４１】
このソフトバッグは、全体が、それぞれ周状にした上部９を構成する生地と下部１０を構成する生地が接合され、さらに下部１０を構成する生地と底部７を構成する生地とがパイピン８を介して接合されたものとしており、前・後面部１，２及び両マチ部５，５の上端部により開口部Ｈが形成されている。
【００４２】
上部９の生地は柔軟なネット状であり、左右両側部において、上部９の生地と下部１０の生地との接合部分に、マチ部５,５と前・後面部１，２の一部に至るパイピン６が設けられたものとしている。
【００４３】
パイピン６は開口部Ｈが全開又はほぼ全開で、水平方向に弧状又は横コ字状となっており、前記パイピン６とほぼ同形状のバネ部材４が収容されている。
【００４４】
両マチ部５，５、前・後面部１，２の上端部にはファスナーである止め具３が設けられている。この止め具３は、左右両側部において延長部３２を有している。開口部Ｈを一部開いた状態にするには、実施形態２と同様、左右側部のいずれかにおいて、止め具３のファスナー３０のスライダーを少し移動させればよい。
【産業上の利用可能性】
【００４５】
ペットその他適宜の物を収容するバッグとして利用することが可能である。
【図面の簡単な説明】
【００４６】
【図１】この発明の第１実施形態のソフトバッグであるペット用バッグにおいて止め具を閉じた状態を示した斜視図である。
【図２】前記ペット用バッグにおいて止め具を全開にした状態を示した斜視図である。
【図３】前記ペット用バッグにおいて止め具を一部開いた状態を示した斜視図である。
【図４】前記ペット用バッグに使用されているパイピンの斜視図である。
【図５】この発明の第２実施形態のソフトバッグにおいて止め具を全開にした状態を示した斜視図である。
【図６】この発明の第３実施形態のソフトバッグにおいて止め具を全開にした状態を示した斜視図である。
【符号の説明】
【００４７】
Ｂ      ペット用バッグ（ソフトバッグ）
Ｈ      開口部
１      前面部
２      後面部
３      止め具
４      バネ部材
５      マチ部
６      パイピン
【図１】
2005137758.tif 000003
【図２】
2005137758.tif 000004
【図３】
2005137758.tif 000005
【図４】
2005137758.tif 000006
【図５】
2005137758.tif 000007
【図６】
2005137758.tif 000008